【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
ストリームデータの再生を指定する再生指定情報を記録する情報処理装置であって、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとを記録する記録手段
を有し、
前記再生指定情報は、前記クリップ情報ファイルが前記第１のアドレステーブルを含む場合には、プレゼンテーションタイムに基づく第１のタイムベースに基づいて前記ストリームデータの再生を指定する
情報処理装置。
【請求項２】
前記再生指定情報は前記ストリームデータの再生区間を指定する再生区間情報を複数有し、前記記録手段が前記第１のアドレステーブルを記録する場合には、前記複数の再生区間情報の全てが、前記第１のタイムベースに基づき前記ストリームデータの再生区間を指定する
請求項１に記載の情報処理装置。
【請求項３】
前記再生指定情報は前記ストリームデータの再生区間を指定する再生区間情報を有し、
前記記録手段は、前記記録手段が前記第１のアドレステーブルを記録する場合には、前記再生区間情報に含まれる前記ストリームデータの再生区間の始点を示す始点時刻情報として、前記再生区間における最初のプレゼンテーションユニットに対応するプレゼンテーションタイムを記録する
請求項１に記載の情報処理装置。
【請求項４】
前記再生指定情報は、前記ストリームデータの再生を、プレゼンテーションタイムに基づく前記第１のタイムベースで指定するか、またはアライバルタイムに基づく第２のタイムベースで指定するかを示す種別情報を含む
請求項１に記載の情報処理装置。
【請求項５】
前記種別情報は、前記記録手段が前記第１のアドレステーブルを記録する場合には、前記再生指定情報が前記ストリームデータの再生を前記第１のタイムベースで指定すべきことを示す
請求項４に記載の情報処理装置。
【請求項６】
前記再生指定情報は前記ストリームデータの再生区間を指定する再生区間情報を有し、
前記再生区間情報は前記種別情報に応じて、前記第１のタイムベースまたは前記第２のタイムベースに基づき前記ストリームデータの再生区間を指定する
請求項４に記載の情報処理装置。
【請求項７】
前記再生指定情報は、前記記録手段により前記第２のアドレステーブルを記録する場合には、アライバルタイムに基づく第２のタイムベースに基づいて前記ストリームデータの再生を指定する
請求項１に記載の情報処理装置。
【請求項８】
ストリームデータの再生を指定する再生指定情報を記録する情報処理装置の情報処理方法であって、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとを記録する記録ステップ
を含み、
前記再生指定情報は、前記クリップ情報ファイルが前記第１のアドレステーブルを含む場合には、プレゼンテーションタイムに基づくタイムベースに基づいて前記ストリームデータの再生を指定する
情報処理方法。
【請求項９】
ストリームデータの再生を指定する再生指定情報を記録する情報処理装置を制御するコンピュータに、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとを記録する記録ステップ
を実行させるためのプログラムであって、
前記再生指定情報は、前記クリップ情報ファイルが前記第１のアドレステーブルを含む場合には、プレゼンテーションタイムに基づくタイムベースに基づいて前記ストリームデータの再生を指定する
プログラムを記録したコンピュータ読み取り可能な記録媒体。
【請求項１０】
ストリームデータの再生を指定する再生指定情報を記録する情報処理装置を制御するコンピュータに、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとを記録する記録ステップ
を実行させるためのプログラムであって、
前記再生指定情報は、前記クリップ情報ファイルが前記第１のアドレステーブルを含む場合には、プレゼンテーションタイムに基づくタイムベースに基づいて前記ストリームデータの再生を指定する
プログラム。
【請求項１１】
ストリームデータの再生を指定する再生指定情報の記録を制御する制御装置であって、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとの記録を制御する記録制御手段
を有し、
前記再生指定情報は、前記クリップ情報ファイルが前記第１のアドレステーブルを含む場合には、プレゼンテーションタイムに基づくタイムベースに基づいて前記ストリームデータの再生を指定させる
制御装置。
【請求項１２】
ストリームデータを再生する情報処理装置であって、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得手段と、
前記取得手段により前記第１のアドレステーブルを取得する場合には、前記再生指定情報を用いて、プレゼンテーションタイムに基づくタイムベースに基づいて前記ストリームデータを再生する再生手段と
を有する情報処理装置。
【請求項１３】
ストリームデータを再生する情報処理装置の情報処理方法であって、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得ステップと、
前記取得ステップの処理により前記第１のアドレステーブルを取得する場合には、前記再生指定情報を用いて、プレゼンテーションタイムに基づくタイムベースに基づいて前記ストリームデータを再生する再生ステップと
を含む情報処理方法。
【請求項１４】
ストリームデータを再生する情報処理装置を制御するコンピュータに、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得ステップと、
前記取得ステップの処理により前記第１のアドレステーブルを取得する場合には、前記再生指定情報を用いて、プレゼンテーションタイムに基づくタイムベースに基づいて前記ストリームデータを再生する再生ステップと
を実行させるためのプログラムを記録したコンピュータ読み取り可能な記録媒体。
【請求項１５】
ストリームデータを再生する情報処理装置を制御するコンピュータに、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得ステップと、
前記取得ステップの処理により前記第１のアドレステーブルを取得する場合には、前記再生指定情報を用いて、プレゼンテーションタイムに基づくタイムベースに基づいて前記ストリームデータを再生する再生ステップと
を実行させるためのプログラム。
【請求項１６】
ストリームデータの再生を制御する制御装置であって、
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得手段と、
前記取得手段により前記第１のアドレステーブルが取得される場合には、前記再生指定情報を用いて、プレゼンテーションタイムに基づくタイムベースに基づいて前記ストリームデータの再生を制御する再生制御手段と
を有する制御装置。
【請求項１７】
プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを有するデータ構造のデータが記録された記録媒体であって、
前記データ構造のデータを取得した情報処理装置により、
前記再生指定情報を用いて、プレゼンテーションタイムに基づくタイムベースに基づいて前記ストリームデータが再生される
データ構造のデータが記録された記録媒体。
【手続補正２】
【補正対象書類名】明細書
【補正対象項目名】発明の名称
【補正方法】変更
【補正の内容】
【発明の名称】情報処理装置、情報処理方法、記録媒体、およびプログラム、並びに制御装置
【手続補正３】
【補正対象書類名】明細書
【補正対象項目名】０００１
【補正方法】変更
【補正の内容】
【０００１】
本発明は情報処理装置、情報処理方法、記録媒体、およびプログラム、並びに制御装置に関し、特に、GUIなどに説明表示する情報、主の再生経路の情報、副の再生経路の情報、主の再生経路を構成する個々の再生区間の間の接続情報、ユーザが所望したシーンにセットするブックマークやリジューム点の情報などの情報を含むファイルを記録する情報処理装置、情報処理方法、記録媒体、およびプログラム、並びに制御装置に関する。
【手続補正４】
【補正対象書類名】明細書
【補正対象項目名】００１１
【補正方法】変更
【補正の内容】
【００１１】
本発明の第１の側面の情報処理装置は、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとを記録する記録手段を有し、前記再生指定情報は、前記クリップ情報ファイルが前記第１のアドレステーブルを含む場合には、プレゼンテーションタイムに基づく第１のタイムベースに基づいて前記ストリームデータの再生を指定する。
【手続補正５】
【補正対象書類名】明細書
【補正対象項目名】００１８
【補正方法】変更
【補正の内容】
【００１８】
本発明の第１の側面の情報処理方法は、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとを記録する記録ステップを含み、前記再生指定情報は、前記クリップ情報ファイルが前記第１のアドレステーブルを含む場合には、プレゼンテーションタイムに基づくタイムベースに基づいて前記ストリームデータの再生を指定する。
【手続補正６】
【補正対象書類名】明細書
【補正対象項目名】００１９
【補正方法】変更
【補正の内容】
【００１９】
本発明の第１の側面の記録媒体、またはプログラムは、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとを記録する記録ステップをコンピュータに実行させるためのプログラムであって、前記再生指定情報は、前記クリップ情報ファイルが前記第１のアドレステーブルを含む場合には、プレゼンテーションタイムに基づくタイムベースに基づいて前記ストリームデータの再生を指定するプログラムを記録したコンピュータ読み取り可能な記録媒体、またはプログラムである。
【手続補正７】
【補正対象書類名】明細書
【補正対象項目名】００２０
【補正方法】変更
【補正の内容】
【００２０】
本発明の第１の側面の制御装置は、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方を含むクリップ情報ファイルと、前記再生指定情報を含む再生指定情報ファイルとの記録を制御する記録制御手段を有し、前記再生指定情報は、前記クリップ情報ファイルが前記第１のアドレステーブルを含む場合には、プレゼンテーションタイムに基づくタイムベースに基づいて前記ストリームデータの再生を指定させる。
【手続補正８】
【補正対象書類名】明細書
【補正対象項目名】００２２
【補正方法】変更
【補正の内容】
【００２２】
本発明の第２の側面の情報処理装置は、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得手段と、前記取得手段により前記第１のアドレステーブルを取得する場合には、前記再生指定情報を用いて、プレゼンテーションタイムに基づくタイムベースに基づいて前記ストリームデータを再生する再生手段とを有する。
【手続補正９】
【補正対象書類名】明細書
【補正対象項目名】００２３
【補正方法】変更
【補正の内容】
【００２３】
本発明の第２の側面の情報処理方法は、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得ステップと、前記取得ステップの処理により前記第１のアドレステーブルを取得する場合には、前記再生指定情報を用いて、プレゼンテーションタイムに基づくタイムベースに基づいて前記ストリームデータを再生する再生ステップとを含む。
【手続補正１０】
【補正対象書類名】明細書
【補正対象項目名】００２４
【補正方法】変更
【補正の内容】
【００２４】
本発明の第２の側面の記録媒体、またはプログラムは、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得ステップと、前記取得ステップの処理により前記第１のアドレステーブルを取得する場合には、前記再生指定情報を用いて、プレゼンテーションタイムに基づくタイムベースに基づいて前記ストリームデータを再生する再生ステップとをコンピュータに実行させるためのプログラムを記録したコンピュータ読み取り可能な記録媒体、またはコンピュータに実行させるためのプログラムである。
【手続補正１１】
【補正対象書類名】明細書
【補正対象項目名】００２５
【補正方法】変更
【補正の内容】
【００２５】
本発明の第２の側面の制御装置は、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを取得する取得手段と、前記取得手段により前記第１のアドレステーブルが取得される場合には、前記再生指定情報を用いて、プレゼンテーションタイムに基づくタイムベースに基づいて前記ストリームデータの再生を制御する再生制御手段とを有する。
【手続補正１２】
【補正対象書類名】明細書
【補正対象項目名】００２７
【補正方法】変更
【補正の内容】
【００２７】
本発明の第３の側面の記録媒体は、プレゼンテーションタイムスタンプと、それに対応するアクセスユニットを構成するトランスポートパケットのアドレスとのペアを有する第１のアドレステーブル、または、一つの時間量と、トランスポートパケットの到着時間軸を前記時間量に基づき区切られてなるタイムユニットに含まれるトランスポートパケットのアドレスとを有する第２のアドレステーブルのいずれか一方と、ストリームデータの再生を指定する前記再生指定情報とを有するデータ構造のデータが記録された記録媒体であって、前記データ構造のデータを取得した情報処理装置により、再生指定情報を用いて、プレゼンテーションタイムに基づくタイムベースに基づいてストリームデータが再生される。
【手続補正１３】
【補正対象書類名】明細書
【補正対象項目名】００２８
【補正方法】変更
【補正の内容】
【００２８】
本発明の第３の側面においては、データ構造のデータを取得した情報処理装置により、再生指定情報を用いて、プレゼンテーションタイムに基づくタイムベースに基づいてストリームデータが再生される。